(57)【特許請求の範囲】
【請求項１】
画像を表示可能な画像表示領域を有する表示装置と、前記表示装置の前記画像表示領域を開閉可能な前後のシャッターとを備えた遊技機において、
前記前後のシャッターのうち前側シャッターは、前記画像表示領域の表面側で移動して前記画像表示領域を見せたり隠したりするための遮蔽部と、前記遮蔽部の上下部に形成されると共に、上部に形成される部分が駆動装置に噛合し、前記画像表示領域の表面に対して平行に配置されたガイドレールに沿って移動可能な上下のスライド部を有し、
前記遮蔽部は、不透明部材で形成されると共に、前記上下のスライド部間にあって、表面が平坦で、かつ前記シャッターとは別部品で形成され表面にメッキを施した複数の装飾部品が取り付けられる平坦部を有し、
前記平坦部は、後部内周面が皿状に陥入した面取部を有する貫通孔を前記複数の装飾部品のそれぞれに対応して複数有し、
前記複数の装飾部品は、前記貫通孔に対応し、かつ前記遮蔽部における前記平坦部の厚みよりも長く延出したメッキを施さない突起部を設け、当該突起部を前記貫通孔に貫通させて突き抜けた先端部を前記面取部に超音波溶着して、前記装飾部品を前記遮蔽部に取り付け、当該溶着の痕を遮蔽部の裏面に沿って平坦としたことを特徴とする遊技機。
【発明の詳細な説明】
【技術分野】
【０００１】
本発明は、画像を表示可能な表示装置と、表示装置の画像表示領域を開閉可能なシャッターとを備えた遊技機に関する。
【背景技術】
【０００２】
遊技機としてのスロットマシンにおいて、各種遊技情報や画像を表示可能な表示装置の手前に、左右方向へ直線移動可能な左右のシャッターを設け、遊技状況に応じて、左右のシャッターを駆動装置の動力により左右方向へ移動させることによって、表示装置の画像表示領域を遮蔽したり開放したりして、多彩な演出を行い得るようにしたものがある（例えば、特許文献１参照）。
【特許文献１】特開２００４−３５０９８７号公報
【発明の開示】
【発明が解決しようとする課題】
【０００３】
上述のような遊技機においては、シャッターにおける表面のデザインは機種毎、遊技テーマ毎に決定されるため、異なる機種、遊技テーマの遊技機間でのシャッターの共用化は困難である。
【０００４】
本発明は、従来の課題に鑑み、シャッターを機種または遊技テーマに関連したデザインに容易に変更することができるようにして、シャッターの共用化を可能にした遊技機を提供することを目的とする。
【課題を解決するための手段】
【０００５】
上記目的を達成するため、本発明に係る遊技機は、画像を表示可能な画像表示領域を有する表示装置と、前記表示装置の前記画像表示領域を開閉可能な前後のシャッターとを備えた遊技機において、前記前後のシャッターのうち前側シャッターは、前記画像表示領域の表面側で移動して前記画像表示領域を見せたり隠したりするための遮蔽部と、前記遮蔽部の上下部に形成されると共に、上部に形成される部分が駆動装置に噛合し、前記画像表示領域の表面に対して平行に配置されたガイドレールに沿って移動可能な上下のスライド部を有し、前記遮蔽部は、不透明部材で形成されると共に、前記上下のスライド部間にあって、表面が平坦で、かつ前記シャッターとは別部品で形成され表面にメッキを施した複数の装飾部品が取り付けられる平坦部を有し、前記平坦部は、後部内周面が皿状に陥入した面取部を有する貫通孔を前記複数の装飾部品のそれぞれに対応して複数有し、前記複数の装飾部品は、前記貫通孔に対応し、かつ前記遮蔽部における前記平坦部の厚みよりも長く延出したメッキを施さない突起部を設け、当該突起部を前記貫通孔に貫通させて突き抜けた先端部を前記面取部に超音波溶着して、前記装飾部品を前記遮蔽部に取り付け、当該溶着の痕を遮蔽部の裏面に沿って平坦とする。この構成により、複数の装飾部品のデザインを機種または遊技テーマ毎に変更することによって、前側シャッターを機種または遊技テーマに関連したデザインに簡単に変更することができ、シャッターの共用化を図ることができる。また、装飾部品を遮蔽部に確実に取り付けることができる。さらに、装飾部材の突起部を、遮蔽部の貫通孔の面取部に確実に超音波溶着することができる。
【発明の効果】
【００１２】
本発明によれば、装飾部品のデザインを機種または遊技テーマ毎に変更することによって、シャッターを機種または遊技テーマに関連したデザインに簡単に変更することができ、シャッターの共用化を図ることができる。
【発明を実施するための最良の形態】
【００１３】
以下、本発明に係わる一実施形態を図面に基づいて説明する。図１は、本発明を適用した遊技機の斜視図である。なお、以下の説明においては、図１における左斜め下方を「前方」とし、右斜め上方を「後方」とし、左斜め上方を「左方」とし、右斜め下方を「右方」とする。
【００１４】
遊技機（スロットマシン）１は、外周面に複数種類の図柄が描かれた左、中、右３個の回転リール２及びその他の各種遊技機器を収容した筐体３と、筐体３の前面に開閉可能に設けられた合成樹脂製の前扉４を備え、遊技媒体をなすメダル（コインも含む）を、前扉４の前面右側に設けたメダル投入部２０に投入することによって所定のゲームが行われるものである。
【００１５】
遊技機１の遊技は、遊技者がメダルをメダル投入部４に投入するか、または、前扉３の前面に設けられたベットボタン２１により予め投入されたメダル枚数を電気的に記憶されたクレジット状態のメダルの賭数を設定した後、スタートレバー２２を操作して、全ての回転リール２を回転させることによって開始される。
【００１６】
回転リール２が回転して所定時間が経過した後、前扉４の前面に設けられた３個のストップボタン２３を順次操作して、各回転リール２の回転を停止させ、停止した３個の回転リール２の図柄の組み合わせにより、入賞の有無、及び賞の大小に応じたメダルの配当枚数が確定され、入賞した場合には、予め定めた枚数のメダルが前扉４の下部に設けたメダル受皿４１に払い出される。
【００１７】
前扉４における前面のほぼ中央には、各回転リール２の図柄を３こまずつ視認可能な透視窓４２が設けられ、また同じく上部には、表示ユニット５が設けられている。
【００１８】
図２は、斜め前方から見た表示ユニット５の分解斜視図、図３は、表示ユニット５の正面図、図４は、表示枠６を外した状態の表示ユニット５の正面図である。表示ユニット５は、遊技状況に応じて、光源が点灯、点滅したり、後述の画像表示領域７１に各種遊技情報や画像を表示させたり、画像表示領域７１を遮蔽したり開放したりして遊技を演出するものであって、前扉４の前面上部に固定される合成樹脂製の表示枠６と、遊技状況に応じた演出情報や画像を表示可能な画像表示領域７１を有する表示装置７と、遊技状況に応じて画像表示領域７１を開閉可能とするシャッター装置８と、左右の前側シャッター用駆動装置１０Ａ及び後側シャッター用駆動装置１０Ｂと、表示枠６、表示装置７、シャッター装置８及び各駆動装置１０Ａ、１０Ｂが取り付けられる合成樹脂製のベース部材１１とを備えている。
【００１９】
表示装置７は、ベース部材１１の裏面側に固定されるとともに、前面に液晶等で構成される画像表示領域７１を形成し、遊技状況に応じた画像を画像表示領域７１に表示することによって遊技の演出を盛り上げるものである。
【００２０】
ベース部材１１は、表示枠６と共に前扉４の上部に固定されるとともに、中央部に表示装置７の画像表示領域７１の大きさに対応する開口１１１を形成している。ベース部材１１の裏面側上部の左右には、左右の前側シャッター用駆動装置１０Ａが取り付けられ、また、同じく裏面側下部の左右には、左右の後側シャッター用駆動装置１０Ｂが取り付けられる。
【００２１】
図５は、シャッター装置８の斜視図である。シャッター装置８は、表示装置７における画像表示画面７１を左右から挟むように、画像表示領域７１の表面に沿って左右方向へ直線移動可能な左右の合成樹脂製の前側シャッター８１及び後側シャッター８２と、前側シャッター８１及び後側シャッター８２をそれぞれ左右方向へ移動可能に支持するためのガイド構造体９とを備える。左右の前側シャッター８１の前面には、後述のように各装飾部品８３、８４、８５が取り付けられている。
【００２２】
ガイド構造体９は、ベース部材１１の前面に複数のボルト等（図示略）により固定されると共に、左右の前側シャッター８１の上部（上スライド部８１３）を左右方向へ移動可能に支持するための前側シャッター用上部ガイドレール９１と、前側シャッター用上部ガイドレール９１の真下に配置され、左右の後側シャッター８２の上部を左右方向へ移動可能に支持するための後側シャッター用上部ガイドレール９２と、左右の前側シャッター８１の下部（下スライド部８１４）を左右方向へ移動可能に支持するための前側シャッター用下部ガイドレール９３と、前側シャッター用下部ガイドレール９３の真後ろに配置され、左右の後側シャッター８２の下部を左右方向へ移動可能に支持するための後側シャッター用下部ガイドレール９４と、各ガイドレール９１、９２、９３、９４を上下に連結する左右の連結板９５とを有している。
【００２３】
各上部ガイドレール９１、９２は、画像表示領域７１の表面に対して平行になるように画像表示領域７１の上方に配置されると共に、縦断面形状がほぼ下向き開口コ字型をなしている。また、各下部ガイドレール９３、９４は、画像表示領域７１の表面に対して平行になるように画像表示領域７１の下方に配置されると共に、縦断面形状がほぼ上向き開口コ字型をなしている。なお、各ガイドレール９１、９２、９３、９４は、画像表示領域７１に表示される画像を遮ることがないように、画像表示領域７１外に配置される。
【００２４】
左右の連結板９５は、表示装置７の画像表示領域７１を遮ることがないように、互いに左右方向へ隔てて配置され、その上端部は、後側シャッター用上部ガイドレール９２の前面に固着され、また、同じく下端部は、前側シャッター用下部ガイドレール９３の後面と後側シャッター用下部ガイドレール９４の前面との間に固着される。
【００２５】
図６は、斜め前方から見た前側シャッター８１及び各装飾部材８３、８４、８５の分解斜視図、図７は、斜め後方から見た前側シャッター８１及び各装飾部材８３、８４、８５の分解斜視図、図８は、要部の拡大断面図である。
【００２６】
左右の前側シャッター８１は、上部に前側シャッター用上部ガイドレール９１に左右方向へ移動可能に係合する上スライド部８１３、また、下部に前側シャッター用下部ガイドレール９３に左右方向へ移動可能に係合する下スライド部８１４をそれぞれ形成し、さらに、上スライド部８１３と下スライド部８１４との間には不透明な遮蔽部８１１が設けられている。上スライド部８１３の後面には、前側シャッター用駆動装置１０Ａにおけるモータ１０２Ａにより回転するピニオン１０１Ａに噛合するラック８１５が左右方向に沿って設けられている。この構成により、左右の前側シャッター８１は、上下のガイドレール９１、９３によって画像表示領域７１及び連結板９５の表面に沿って左右方向へ移動可能に支持され、前側シャッター用駆動装置１０Ａのピニオン１０１Ａの回転をもって、遮蔽部８１１が画像表示領域７１を遮蔽する遮蔽位置（図３参照）と開放する開放位置（図４参照）間を直線往復移動する。
【００２７】
前側シャッター８１の遮蔽部８１１には、正面視半円状の平坦部８１１ａが設けられ、この平坦部８１１ａには、機種または遊技テーマ毎に定められたデザインの装飾部品８３、８４、８５を取り付けるための多数の貫通孔８１２が穿設されている。貫通孔８１２の後部内周面には、図８に示すように皿状に陥入した面取部８１２ａが設けられている。
【００２８】
各装飾部品８３、８４、８５の裏面には、遮蔽部８１１の平坦部８１１ａに穿設された各貫通孔８１２にそれぞれ対応し、かつ平坦部８１１ａの板厚よりも長い突起部８３１、８４１、８５１がそれぞれ突設されている。
【００２９】
各装飾部品８３、８４、８５は、各突起部８３１、８４１、８５１をそれぞれに対応する貫通孔８１１に嵌入し、貫通孔８１１から突出した各突起部８３１、８４１、８５１の先端部（図８に２点鎖線で示す部分）を超音波溶着によって実線で示すように面取部８１２ａに溶着することによって、平坦部８１１ａに確実に固定される。これにより、装飾部品８３、８４、８５のデザインを機種または遊技テーマ毎に変更することによって、前側シャッター８１を機種または遊技テーマに関連したデザインに簡単に変更することができ、異なる機種または遊技テーマ間で前側シャッター８１の共用化を図ることができる。
【００３０】
各装飾部品８３、８４、８５の各突起部８３１、８４１、８５１を除く表面には、金メッキまたはクロムメッキ等の二次加工が施される。これにより、各装飾部品８３、８４、８５をメッキにより装飾しても、各突起部８３１、８４１、８５１を超音波溶着によって確実に溶着することができる。また、平坦部８１１ａを含む遮蔽部８１１は、不透明材で形成されるため、前側シャッター８１が遮蔽位置にあるとき、画像表示領域７１を完全に隠蔽することができると共に、遮蔽部８１１に取り付けられた各装飾部品８３、８４、８５の取り付け状態（各突起部８３１、８４１、８５１の溶着部分）が遊技者から見えるおそれが無くなり、見栄え向上を図ることができる。
【００３１】
後側シャッター８２は、後側シャッター用上部ガイドレール９２に左右方向へ移動可能に係合する上スライド部８２１と、後側シャッター用下部ガイドレール９４に左右方向へ移動可能に係合する下スライド部８２２と、画像表示領域７１を開閉可能な正面視矩形の遮蔽部８２３とを有する。下スライド部８２２の後面には、後側シャッター用駆動装置１０Ｂにおけるモータ１０２Ｂにより回転するピニオン１０１Ｂに噛合するラック（図示略）が左右方向に沿って設けられている。この構成により、左右の後側シャッター８２は、上下のガイドレール９２、９４によって画像表示領域７１の表面と連結板９５の裏面との間で左右方向へ移動することができ、後側シャッター用駆動装置１０Ｂのピニオン１０１Ｂの回転をもって、遮蔽部８２３が画像表示領域７１を遮蔽する遮蔽位置と開放する開放位置間を直線往復移動する。
【００３２】
遮蔽部８２３は、後側シャッター８２が遮蔽位置にあるとき、画像表示領域７１を遮蔽するとともに、画像表示領域７１に表示される画像を透視可能かまたは輪郭や色彩等を視認できる程度の半透明に形成される。
【００３３】
前側シャッター８１及び後側シャッター８２は、次のような開閉態様で、表示装置７の画像表示領域７１を開閉する。（ａ）左右の前側シャッター８１及び後側シャッター８２が共に遮蔽位置にあって、表示装置７の画像表示領域７１を二重で遮蔽して、画像表示領域７１に表示される画像を完全に隠蔽する。（ｂ）左右の後側シャッター８２が開放位置にあり、左右の前側シャッター８１が遮蔽位置にあって、前側シャッター８１の遮蔽部８１１のみで画像表示領域７１を遮蔽する。（ｃ）左右の前側シャッター８１が開放位置にあり、左右の後側シャッター８２が遮蔽位置にあって、後側シャッター８２の遮蔽部８２３のみで画像表示領域７１を遮蔽する。（ｄ）左右の前側シャッター８１及び後側シャッター８２が共に開放位置にあって、画像表示領域７１を完全に開放する。
【００３４】
図９、１０は、本発明における他の実施形態でもある後側シャッター８６の構造を示す。本発明の他の実施形態でもあることから、符号を新たに付して説明する。図９は、前方から見た後側シャッター８６の分解斜視図、図１０は、後方から見た後側シャッター８６の分解斜視図である。
この実施形態における後側シャッター８６は、後側シャッター用上部ガイドレール９２に移動可能に係合する左右方向を向く上スライド部８６１と、後側シャッター用下部ガイドレール９４に移動可能に係合する左右方向を向く下スライド部８６２とを、上下方向を向く連設部８６３により繋げて形成されるシャッターフレーム８６４と、シャッターフレーム８６４と別部品で形成される扁平板状の遮蔽部８６５を備え、シャッターフレーム８６４の裏面に突設された複数の突起部８６６を、遮蔽部８６５に穿設された貫通孔８６７に嵌入して超音波溶着により溶着することによって、遮蔽部８６５をシャッターフレーム８６４に固着して、遮蔽部８６５と上下のスライド部８６１、８６２とを一体的にする。これにより、遮蔽部８６５を機種または遊技テーマに関連したデザインに容易に変更することができる。
【００３５】
また、この実施形態における装飾部品は、遊技機の遊技テーマに関連した形状または模様を記載したシール８６８により構成される。このシール８６８は、遮蔽部８６５の平坦部に貼着することによって取り付けられる。これにより、シール８６８の形状、模様を変更することによって、前側シャッター８６のデザインを容易に変更することができる。
【００３６】
以上、本発明の実施形態について説明したが、本発明の要旨を逸脱しない範囲内で、本実施形態に対して、次のような種々の変形や変更を施すことが可能である。
（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）後側シャッター８２を前側シャッター８１と同一構造として、後側シャッター８２にも機種または遊技テーマに関連する装飾部品を取り付ける。
（iii）表示装置７における画像表示領域７１の前面に、前側シャッター８１または後側シャッター８２または８６のいずれか一方のみを配置する。
【図面の簡単な説明】
【００３７】
【図１】本発明を適用した遊技機の斜視図である。
【図２】斜め前方から見た表示ユニットの分解斜視図である。
【図３】表示ユニットの正面図である。
【図４】表示枠を外した状態の表示ユニット５の正面図である。
【図５】シャッター装置の斜視図である。
【図６】斜め前方から見た前側シャッター及び各装飾部材の分解斜視図である。
【図７】斜め後方から見た前側シャッター及び各装飾部材の分解斜視図である。
【図８】要部の拡大断面図である。
【図９】本発明における他の実施形態を前方から見た後側シャッターの分解斜視図である。
【図１０】同じく後方から見た後側シャッターの分解斜視図である。
【符号の説明】
【００３８】
１  遊技機（スロットマシン）
２  回転リール
３  筐体
４  前扉
５  表示ユニット
６  表示枠
７  表示装置
８  シャッター装置
９  ガイド構造体
１０Ａ  前側シャッター用駆動装置
１０Ｂ  後側シャッター用駆動装置
１１  ベース部材
２０  メダル投入部
２１  ベットボタン
２２  スタートレバー
２３  ストップボタン
４１  メダル受皿
４２  透視窓
７１  画像表示領域
８１  前側シャッター
８２  後側シャッター
８３、８４、８５  装飾部品
８６  後側シャッター
９１  前側シャッター用上部ガイドレール
９２  後側シャッター用上部ガイドレール
９３  前側シャッター用下部ガイドレール
９４  後側シャッター用下部ガイドレール
９５  連結板
１０１Ａ、１０１Ｂ  ピニオン
１０２Ａ、１０２Ｂ  モータ
１１１  開口
８１１  遮蔽部
８１１ａ  平坦部
８１２  貫通孔
８１２ａ  面取部
８１３  上スライド部
８１４  下スライド部
８１５  ラック
８２１  上スライド部
８２２  下スライド部
８２３  遮蔽部
８３１、８４１、８５１  突起部
８６１  上スライド部
８６２  下スライド部
８６３  連設部
８６４  シャッターフレーム
８６５  遮蔽部
８６６  突起部
８６７  貫通孔
８６８  シール（装飾部品）
【図１】
0005616567.tif 000002
【図２】
0005616567.tif 000003
【図３】
0005616567.tif 000004
【図４】
0005616567.tif 000005
【図５】
0005616567.tif 000006
【図６】
0005616567.tif 000007
【図７】
0005616567.tif 000008
【図８】
0005616567.tif 000009
【図９】
0005616567.tif 000010
【図１０】
0005616567.tif 000011